(57)【特許請求の範囲】
【請求項１】
ビデオ信号を再生する再生ヘッドのトレース位置を１フィールド以上ジャンプさせる制御回路と、
前記再生ヘッドがジャンプするタイミングをあらかじめ検出する検出回路と、
前記再生ヘッドで再生される１フィールド以上のビデオ信号を蓄えるメモリ回路と、
基準ビデオ信号が示すフィールドに対して前記再生ヘッドからのフィールドが合っているかどうかを判断する判断回路と、
前記メモリ回路の出力と前記再生ヘッドからのビデオ信号を切り換える切り換え回路とを具備し、
前記判断回路が基準ビデオ信号のフィールドと再生ヘッドからのビデオ信号のフィールドとが合っていると判断したときには、前記切り換え回路は前記再生ヘッドからのビデオ信号を出力し、そうでないときは前記切り換え回路は前記メモリ回路からの出力を出力し、
前記検出回路によって前記再生ヘッドがジャンプするのを前もって検出するとジャンプする直前のビデオ信号を前記メモリ回路に書き込むようにしたフレームスローモーション回路。
【発明の詳細な説明】
【０００１】
【産業上の利用分野】
本発明は、メモリ（フィールドメモリ又は、フレームメモリ）を持ったフレームスローモーション回路に関するものである。
【０００２】
【従来の技術】
従来のフレームスローモーション回路について説明する。
一般に、ＴＶ信号（ＮＴＳＣ方式やＰＡＬ方式等）は、１枚の絵（フレーム）が２枚のフィールドに分けてＶＴＲ等に記録、再生される。言い換えれば、連続する２枚のフィールドで初めてオリジナルの絵を１枚生成出来るのである。ここで、フレームスローモーションとは、スローモーション時においても常にフレーム単位で再生するものである。
【０００３】
従来は、フレームスローモーションを実現させるために、図４の様に、再生ヘッドのトレースの振り幅を１フレーム以上持たせるか、あるいは図５の様にメモリ容量としてビデオ信号を１フレーム以上蓄える回路となっていた。
図４の場合は、基準ビデオ信号のフィールド情報（第１フィールド、第２フィールド）に位相が合うように、再生ヘッドジャンプ回路１０にて、再生ヘッドを１フレーム以上ジャンプさせてＯＵＴＰＵＴに連続するフィールド信号（フレーム単位）を得るものである。
【０００４】
又、図５の場合には、再生ヘッドのビデオ信号を１フレーム以上のメモリ１２に常に蓄えておき、基準ビデオ信号のフィールド情報に対して同位相のフィールド情報を持つビデオ信号をメモリ１２から読み出して、フレーム単位とするものである。
【０００５】
【発明が解決しようとする課題】
しかしながら、従来のフレームスローモーション回路では、図４の場合は再生ヘッドを１フレーム以上トレースさせるために、高価な圧電素子（あるいはムービングコイル）及び駆動回路を備え、機械的に振り幅を大きくする為機械部分の負担が大きく、図５の場合には１フレーム以上の高価なメモリを備える必要があるという問題点を有していた。
【０００６】
本発明は、上記従来の問題点を解決するもので、安価でビデオ信号のフレームスローモーションを提供することを目的とする。
【０００７】
【課題を解決するための手段】
本発明は、上記目的を達成するために、再生ヘッドのトレース位置を１フィールド以上ジャンプさせる制御回路と、再生ヘッドがジャンプするタイミングをあらかじめ検出する検出回路と、１フィールド以上のビデオ信号を蓄えるメモリ回路と、基準フィールド信号に対して再生フィールドの位相を判断する判断回路と、メモリ回路に入る前の信号と出た後の信号を切り換える切り換え回路とを具備し、メモリ回路に入る信号と出た後の信号を適宜切り換える構成になっている。
【０００８】
【作用】
上記構成のフレームスローモーション回路は、再生ヘッドがジャンプする事をあらかじめ検出し、ジャンプする前のビデオ信号を１フィールド以上メモリ回路に蓄え、現在、再生ヘッドがトレースしているビデオ信号とメモリに蓄えられているビデオ信号とを適宜切り換える事により、スローモーション時のビデオ信号を、あくまでもフレーム単位で出力する。
【０００９】
【実施例】
以下、本発明の１実施例について、図面を参照しながら説明する。
図１は、本発明の実施例のブロック図で、１は再生ヘッドのトレース位置を１フィールド分ジャンプさせる再生ヘッド制御回路（機械的にヘッドを動かす部分を含む）、２は再生ヘッドがジャンプすることをジャンプする前にあらかじめ検出する再生ヘッドジャンプ検出回路、３は１フィールドの記憶容量を持つメモリ、４は基準ビデオ信号と再生ヘッドからのビデオ信号の各フィールドが合っているか反転しているかの位相を検出するフィールド判別回路、５はメモリ３出力をＯＵＴＰＵＴに出すか、現在の再生ヘッドのトレースしている信号をＯＵＴＰＵＴに出すかを切り換える切り換え回路である。
【００１０】
再生ヘッドからのビデオ信号は、通常の１倍速再生では必ず第１フィールド、第２フィールド、第１フィールド、第２フィールド、−−−−と交互に出力されるが、スローモーション時には第１フィールドと第２フィールドの順番が交互に再生ヘッドから出力されないことがある。
そこで、再生ヘッドがジャンプするのを前もって検出し、ジャンプするときには必ずジャンプする直前のビデオ信号をメモリ３に書き込むようにする。つまり、ジャンプする前のビデオ信号が第１フィールドならば、メモリ３には第１フィールドのビデオ信号が書き込まれ、ジャンプした後のビデオ信号は第２フィールドとなり、又ジャンプする前のビデオ信号が第２フィールドならば、メモリ３には第２フィールドのビデオ信号が書き込まれ、ジャンプした後のビデオ信号は第１フィールドとなる。
【００１１】
一方、フィールド判別回路４は、基準ビデオ信号が示すフィールドに対して、再生ヘッドからのフィールドが合っているかどうか判断する。例えば、基準ビデオ信号が第１フィールドの場合は、再生ヘッドからのビデオ信号が第１フィールド、あるいは基準ビデオ信号が第２フィールドの場合は、再生ヘッドからのビデオ信号が第２フィールドというように位相が合っているかどうか判断する。
【００１２】
ここで、後述するように適宜に切り換え回路５で切り換えると、第１フィールド→第２フィールド→第１フィールド→第２フィールド→−−−−、あるいは第２フィールド→第１フィールド→第２フィールド→第１フィールド→−−−−とフィールドが連続するフレーム構成にする事が可能となる。
以上の様に構成された本実施例のフレームスローモーション回路の動作を、図２を用いて説明する。
【００１３】
図２は、テープが正方向に走っているときの１／２倍速のフレームスローモーションを示したものである。
再生ヘッドから出力されるフィールドのナンバーが（ａ）に示してあり、奇数を第１フィールド、偶数を第２フィールドとする。＋１／２倍速時には、再生ヘッドはヘッド制御回路１により、同じフィールドを２回ずつ再生するので（ａ）の様に第１フィールド、第１フィールド、第２フィールド、第２フィールド、第１フィールド、第１フィールド、−−−となる。‖の部分がヘッドのジャンプ箇所で、ジャンプする時点をあらかじめ検出することにより、ジャンプ前に必ずメモリに書き込む様にして、メモリの動きとしては（ｂ）となり、メモリ３内部は（ｃ）の様なフィールドナンバーの信号が出入りする。結果として、（ｄ）のＯＵＴＰＵＴ信号を得ることが出来る。
【００１４】
さらに各タイミングで説明する。ここで（１）のタイミングで基準ビデオ信号のフィールドが第２フィールドとすると、（１）のフィールドで切り換え回路５より第２フィールドを出力しないといけないので、再生ヘッドからの信号がそのまま出力される。但し、次にヘッドがジャンプするのがわかっているので、メモリにはナンバー２を書き込む。次に、（２）のタイミングではフレームスローモーションを実現するために第１フィールドを出力しないといけないが、ヘッドがジャンプした後で、ナンバー３（第１フィールド）が再生ヘッドから出力されるので、これをＯＵＴＰＵＴに出力する。次に、（３）のタイミングでは第２フィールドを出力する必要があるが、再生ヘッドからの信号はナンバー３（第１フィールド）なので、この時はメモリ内の信号（ナンバー２−−第２フィールド）を出力する。同時に、次に再生ヘッドがジャンプする事がわかっているので、メモリからナンバー２の読み出しを行うと同時にナンバー３の信号を書き込む。次に、（４）のタイミングでは第１フィールドを出力する必要があるが、再生ヘッドからの信号はナンバー４（第２フィールド）なので、メモリ内の信号（ナンバー３−−第１フィールド）を出力する。
【００１５】
上記は、＋１／２倍速であったが、同様にして他スピード（例えば＋１／３倍速、＋１／４倍速、等の＋１／Ｎ倍速）のフレームスローモーションでも、あるいは逆方向でもフレームスローモーションが可能である。
さらに、１例としてテープが逆方向に走っているときの−１／３倍速のフレームスローモーションを図３に示す。
【００１６】
再生ヘッドから出力されるフィールドのナンバーが（ａ）に示してあり、奇数を第１フィールド、偶数を第２フィールドとする。−１／３倍速時には、再生ヘッドはヘッド制御回路１により、同じフィールドを３回ずつ再生するので（ａ）の様に第１フィールド、第１フィールド、第１フィールド、第２フィールド、第２フィールド、第２フィールド、第１フィールド、第１フィールド、第１フィールド−−−となる。‖の部分がヘッドのジャンプ箇所で、ジャンプする時点をあらかじめ検出することにより、ジャンプ前に必ずメモリに書き込む様にして、メモリの動きとしては（ｂ）となり、メモリ３内部は（ｃ）の様なフィールドナンバーの信号が出入りする。結果として、（ｄ）のＯＵＴＰＵＴ信号を得ることが出来る。
【００１７】
さらに各タイミングで説明する。ここで（１）のタイミングで基準ビデオ信号のフィールドが第２フィールドとすると、（１）のフィールドで切り換え回路５より第２フィールドを出力しないといけないので、再生ヘッドからの信号がそのまま出力される。但し、次にヘッドがジャンプするのがわかっているので、メモリ３にはフィールドナンバー８を書き込む。次に、（２）のタイミングではフレームスローモーションを実現するために第１フィールドを出力しないといけないが、ヘッドがジャンプした後で、ナンバー７（第１フィールド）が再生ヘッドから出力されるので、これをＯＵＴＰＵＴに出力する。次に、（３）のタイミングでは第２フィールドを出力する必要があるが、再生ヘッドからの信号はナンバー７（第１フィールド）なので、この時はメモリ内の信号（ナンバー８−−第２フィールド）を出力する。次に、（４）のタイミングでは第１フィールドを出力する必要があるが、再生ヘッドからの信号はナンバー７（第２フィールド）なので、これをそのままＯＵＴＰＵＴに出力する。但し、次にヘッドがジャンプするのがわかっているので、メモリにはナンバー７を書き込む。
【００１８】
以上の様にして、フレーム単位の再生信号を得ることが出来る。
なお、図２の実施例では、ＯＵＴＰＵＴ出力（ｄ）のフィールドナンバーが、１，０，１，２，３，２，３，４，−−（第１フィールド→第２フィールド→第１フィールード→第２フィールド→−−−−）というパターンの例を示したが、フレーム単位に出力するやり方は、このパターンのみに限らず、例えば、０，１，２，１，２，３，４，３，４，５−−（第２フィールド→第１フィールード→第２フィールド→第１フィールド→−−−−）というパターンも可能である。つまり、本発明は、実施例のパターンに限らず、特許請求の範囲に示す構成のもとでフレーム単位に出力するもの全てに及ぶものである。
【００１９】
【発明の効果】
以上の説明から明らかな様に、本発明のフレームスローモーション回路によれば、再生ヘッドがジャンプする事をあらかじめ検出し、前もってメモリに記憶する事により、フィールドの連続性を失うこと無く、安価でフレームスローモーションが可能となる。
【図面の簡単な説明】
【図１】本発明の実施例におけるフレームスローモーション回路のブロック図
【図２】本発明の実施例におけるフレームスローモーションの１例を示す＋１／２倍速のタイミングチャート
【図３】本発明の実施例におけるフレームスローモーションの１例を示す−１／３倍速のタイミングチャート
【図４】従来のフレームスローモーション回路の１例を示す図
【図５】従来のフレームスローモーション回路の１例を示す図
【符号の説明】
１  再生ヘッド制御回路
２  再生ヘッドジャンプ検出回路
３  メモリ
４  フィールド判別回路
５  切り換え回路
【図１】
0003570025.tif 000002
【図２】
0003570025.tif 000003
【図３】
0003570025.tif 000004
【図４】
0003570025.tif 000005
【図５】
0003570025.tif 000006